(57)【要約】【課題】  正規に購入された商品と雖も、第三者に不正に入手された商品である場合は、その商品の買取りを防止できるようにした商品リサイクルシステムを提供する。【解決手段】  リサイクル商品としての書籍３４に取付けられたＲＦＩＤタグ３５に取引履歴情報を格納し、リサイクルサービス提供者２２の書籍情報データベース３０に取引履歴情報を格納したリサイクルシステムにおいて、利用者２４の所持する携帯電話２５に非接触ＩＣカード３１を内蔵し、この非接触ＩＣカード３１に利用者２４のＩＤ番号を格納する。書籍３４の売却時に利用者２４のＩＤ番号をチェックすることにより、不正に入手された商品の買取りを防止する。【選択図】  図１
2006195814.tif 000002
【特許請求の範囲】
【請求項１】
リサイクル商品に設けられ、該リサイクル商品の取引履歴情報を記憶した記憶部と、該記憶部の取引履歴情報を読取る第１の読取装置と、該読取装置と通信可能でリサイクル商品の取引情報を更新可能に格納する情報記録装置とからなる商品リサイクルシステムにおいて、
利用者に所持され、該利用者の識別情報を格納可能な携帯型記録装置と、
前記携帯型記録装置から情報を読取り、前記情報記録装置と通信可能な第２の読取装置とを設け、
リサイクル商品の購入時に、前記第１の読取装置により前記記憶部から読取ったリサイクル商品の取引情報と、前記第２の読取装置により前記携帯型記録装置から読取った利用者の識別情報とを関連付けて前記情報記録装置に格納し、
前記リサイクル商品の売却時に、前記第２の読取装置により前記携帯型記録装置から読取られた利用者の識別情報と前記情報記録装置に利用者の識別情報と関連付けられて格納されている前記リサイクル商品の取引情報とを照合することにより売却可能か否かを判定することを特徴とする商品リサイクルシステム。
【請求項２】
前記携帯型記録装置は非接触ＩＣカードである請求項１記載の商品リサイクルシステム。
【請求項３】
前記非接触ＩＣカードは携帯端末装置に内蔵される請求項２記載の商品リサイクルシステム。
【請求項４】
前記第１の読取装置と前記第２の読取装置は同一のものである請求項１記載の商品リサイクルシステム。
【請求項５】
前記リサイクル商品の記憶部または前記情報記録装置または前記携帯型記録装置に格納された取引履歴情報を解析する手段を有し、
取引履歴情報の解析結果に基づいてリサイクル商品の販売価格または買取り価格を決定する請求項１記載の商品リサイクルシステム。
【発明の詳細な説明】
【技術分野】
【０００１】
本発明は、リサイクル商品の販売および買取の管理を行う商品リサイクルシステムに関し、特に不正に入手された商品を買取時にチェックする商品リサイクルシステムに関する。
【背景技術】
【０００２】
近年、環境に対する負荷低減の見地から、商品のリサイクルに対するニーズが高まる中、消費者のものにたいする意識も変化し、中古商品が見直されてきている。このような背景から、不要となった品物を買取り、再度中古品として販売するリサイクルビジネスが盛んになってきている。リサイクルの対象となる品物としては、書籍、ＣＤ、ゲームソフト、家電製品、洋服、宝石、貴金属など様々なものがあるが、その中で特に書籍は販売量が多く、また一旦読み終わると不要になりやすいことから、リサイクル商品としての取扱量が多い。
【０００３】
その一方で、書籍を万引等により不正に入手し、入手した書籍をリサイクル業者に売ることで金銭を手に入れることが行われており、社会的な問題となっている。そのためリサイクル業者は、書籍を買取る場合に、同一書籍を複数冊買取しないようにしたり、あるいは買取り価格が一定額以上になる場合には身分証明などで本人確認し、本人の署名入りの買取り記録を取るようにしたりしている。
【０００４】
他方、万引き等により不正に商品を持ち出されることを防止する手段として、ＲＦＩＤ（Radio Frequency Identification）タグが使われるようになってきている。ここでＲＦＩＤタグについて説明する。図１２はＲＦＩＤタグを示す構成図、図１３はリーダライタを示す構成図である。図１２において、ＲＦＩＤタグ１は基材２とＩＣチップ３およびＩＣチップ３に接続されたアンテナ４とで構成される。また図１３において、リーダライタ５は、コントローラ６とコントローラ６に接続されるアンテナ７とで構成される。図１４はＩＣチップの内部を示す構成図である。図１４において、ＩＣチップ３は、リーダライタ５と通信するための送信部８および受信部９、データを記憶するためのメモリ部１０および電源部１１とから構成される。
【０００５】
以上のように構成されたＲＦＩＤタグ１をリーダライタ５のアンテナ７に近づけると、アンテナ７からの電波をＲＦＩＤタグ１のアンテナ４が受信することにより起電力が発生し、電源部１１がこの起電力をもとに動作電力を生成する。これによりＩＣチップ３が動作してリーダライタ５とデータの送受信を行う。
【０００６】
次にＲＦＩＤタグを使用して商品の不正持ち出しを防止する仕組みについて説明する。まず商品のカバーなどにＲＦＩＤタグを添付しておき、店舗の出入り口付近にゲートを設けておく。ゲートにはＲＦＩＤリーダ機能が具備されており、ＲＦＩＤタグが付いた商品がゲートを通過すると、警告音を発するようにしておく。商品が正規に購入されるときに、ＲＦＩＤタグの付いたカバーが取り外されて購入者にその商品が渡されるが、万引き等によりＲＦＩＤタグが付いたまま商品が持ち出されると、ゲート通過時点で警告音が鳴り、これにより不正持ち出しを防止することができる。
【０００７】
ＲＦＩＤタグと同様の非接触通信技術を使用したものに非接触ＩＣカードがある。非接触ＩＣカードもＲＦＩＤタグと同様に、基材とＩＣチップおよびアンテナから構成され、リーダライタに近づけるとリーダライタのアンテナから電波を受けることによりＩＣチップが動作し、データの送受信を行うことができる。非接触ＩＣカードでは、ＩＣチップのメモリ部に「お金」の情報を記録することにより、現金と同様の決済機能を持たせるものがあり、最近では携帯電話に内蔵するものも出てきている。
【０００８】
ＲＦＩＤタグと非接触ＩＣカードの棲み分けとしては、一般的に「もの」に取付けられ、「もの」を識別するためのものをＲＦＩＤタグと呼び、「ひと」に関与し、カード型などで構成することにより人が取り扱うことを前提としたものを非接触ＩＣカードと呼んでいる。
【０００９】
リサイクル商品としての書籍の販売および買取のシステムにおいては、従来、書籍等の商品にＲＦＩＤタグを付けることで不正な持ち出しを防止しているが、ゲートを通過する前にＲＦＩＤタグを取り外されると商品が店舗外へ持ち出されてしまう。そして不正に持ち出された商品が売却のために新古書店に持ち込まれても、新古書店ではその商品が不正に入手されたものであるかどうかを判断する手段がなく、不正入手の商品の買取を防ぐことができなかった。
【００１０】
これを防止する手段として、例えば特開２００４−２３４４０３号公報に開示されるものがある。これは、商品にＩＤ情報を付し、商品を販売する際にその商品のＩＤ情報を情報処理装置の商品情報データベースに販売する商品の情報を登録し、商品を買取り際に商品情報データベースからその商品の情報をチェックして買取可否の判定を行うようにしたものである。
【特許文献１】特開２００４−２３４４０３号公報
【発明の開示】
【発明が解決しようとする課題】
【００１１】
しかしながら上記文献に開示されるシステムでは、商品が購入される際、正規に購入された商品のＩＤ情報が販売情報とともに情報管理センターへ登録されれば、中古品として売却可能であるので、正規に購入された商品が盗まれて第三者に不正に入手された場合でも、その盗まれた商品を売却可能であるという問題があった。
【００１２】
そこで本発明は、正規に購入された商品と雖も、第三者に不正に入手された商品である場合は、その商品の買取りを防止できるようにした商品リサイクルシステムを提供するものである。
【課題を解決するための手段】
【００１３】
上記課題を解決するために本発明は、リサイクル商品に設けられ、該リサイクル商品の取引履歴情報を記憶した記憶部と、該記憶部の取引履歴情報を読取る第１の読取装置と、該読取装置と通信可能でリサイクル商品の取引情報を更新可能に格納する情報記録装置とからなる商品リサイクルシステムにおいて、利用者に所持され、該利用者の識別情報を格納可能な携帯型記録装置と、前記携帯型記録装置から情報を読取り、前記情報記録装置と通信可能な第２の読取装置とを設け、リサイクル商品の購入時に、前記第１の読取装置により前記記憶部から読取ったリサイクル商品の取引情報と、前記第２の読取装置により前記携帯型記録装置から読取った利用者の識別情報とを関連付けて前記情報記録装置に格納し、前記リサイクル商品の売却時に、前記第２の読取装置により前記携帯型記録装置から読取られた利用者の識別情報と前記情報記録装置に利用者の識別情報と関連付けられて格納されている前記リサイクル商品の取引情報とを照合することにより売却可能か否かを判定することを特徴とするものである。
【発明の効果】
【００１４】
本発明によれば、リサイクル商品の購入時に、第１の読取装置によりリサイクル商品の記憶部から読取った該リサイクル商品の取引情報と、第２の読取装置により携帯型記録装置から読取った利用者の識別情報とを関連付けて情報記録装置に格納しておき、リサイクル商品の売却時に、第２の読取装置により携帯型記録装置から読取られた利用者の識別情報と情報記録装置に利用者の識別情報と関連付けられて格納されているこのリサイクル商品の取引情報とを照合することにより売却可能か否かを判定するので、正規に購入され、その後第三者に不正に渡った商品を売却する場合には、不正な入手者が売却している惧れがあるとして、売却は行われない。
【発明を実施するための最良の形態】
【００１５】
以下、本発明の実施の形態を図面にしたがって説明する。各図面に共通する要素には同一の符号を付す。図１は本発明の実施の形態の商品リサイクルシステムを示す構成図である。図１において、本実施の形態の商品リサイクルシステム２１は、リサイクルサービス提供者２２のコンピュータシステム２３と、本サービスを利用する利用者２４が所有する携帯電話２５と、書店、新古書店または他のリサイクルショップ（以下、書店という）２６に設置されるＰＯＳ端末２７とで構成される。なお本実施の形態では、リサイクル商品として書籍（厳密な意味での書籍のほかに、雑誌、ＣＤ、ゲームソフト等を含む）を例にして説明する。実際にはリサイクルされない場合もあるが、少なくとも購入時にはリサイクル予定商品として購入するものとして説明する。
【００１６】
リサイクルサービス提供者２２のコンピュータシステム２３は、コンピュータ２８とこれに接続する会員情報データベース２９と書籍情報データベース３０とから構成され、会員情報データベース２９は本サービスの利用者（会員）の識別情報等を格納する。書籍情報データベース３０は後述するように、取り扱う書籍のコード情報、取引履歴情報、取引した人の識別情報等を格納する。
【００１７】
利用者２４の携帯電話２５には非接触ＩＣカード３１が内蔵されている。非接触ＩＣカード３１には利用者２４の識別情報が記憶されるようになっている。書店２６のＰＯＳ端末２７には非接触ＩＣカードリーダライタ３２とＲＦＩＤタグリーダライタ３３とが接続されている。非接触ＩＣカードリーダライタ３２は、携帯電話２５に内蔵されている非接触ＩＣカード３１との間でデータの送受信を行う。またＲＦＩＤタグリーダライタ３３は、書籍３４に取付けられているＲＦＩＤタグ３５との間でデータの送受信を行うことができる。
【００１８】
リサイクルサービス提供者２２のコンピュータ２８、利用者２４の携帯電話２５および書店２６のＰＯＳ端末２７はネットワーク３６により互いに通信可能に接続されている。なお携帯電話２５に内蔵されている非接触ＩＣカード３１と書籍３４に取付けられているＲＦＩＤタグ３５の通信仕様（通信周波数など）を共通にすることにより、非接触ＩＣカードリーダライタ３２とＲＦＩＤタグリーダライタ３３を１台にすることができる。即ち、１台のリーダライタで携帯電話２５に内蔵された非接触ＩＣカード３１も書籍３４に取付けられたＲＦＩＤタグ３５も読み書きすることができる。
【００１９】
本実施の形態では本サービスを受けようとする利用者は予め会員登録をする必要がある。会員登録の方法について図２にしたがって説明する。図２は会員登録の方法を示すフローチャートである。まず利用者２４は自分の所有する携帯電話２５からネットワーク３６を通じてリサイクルサービス提供者２２のホームページにアクセスして（ステップ１）、会員登録用プログラムをダウンロードする（ステップ２）。
【００２０】
次に利用者２４は、携帯電話２５にインストールされた会員登録用プログラムを起動して（ステップ３）、登録に必要な情報を入力し、完了ボタンを押下する。入力された情報は、完了ボタンの押下によりネットワーク３６を通じてリサイクルサービス提供者２２のコンピュータ２８に送信される（ステップ４）。会員登録に必要な情報は、利用者２４の住所、氏名、年齢、身分証明書の種別と番号などであり、例えば登録用プログラムを起動すると、図３に示すような入力画面が表示され、必要な情報が入力できるようになっている。図３は登録情報入力画面を示す説明図である。なお図３では中央部の点線より上部が表示画面であり、点線より下部は実際には表示されておらず、スクロールにより表示される。
【００２１】
リサイクルサービス提供者２２のコンピュータ２８は送信されてきた会員登録用のデータをチェックし（ステップ５）、入力情報に不備があればエラーを表示し（ステップ６）、再度入力画面に戻り、入力情報の修正を促す。入力情報に不備がなければ、次にＩＤ番号を付与し（ステップ７）、会員登録情報とＩＤ番号を会員情報データベース２９に格納する（ステップ８）。
【００２２】
次にリサイクルサービス提供者２２のコンピュータ２８はＩＤ番号を利用者２４の携帯電話２５に送信し（ステップ９）、会員登録用プログラムは送信されたＩＤ番号を利用者２４の携帯電話２５に内蔵された非接触ＩＣカード３１内のメモリに記憶する（ステップ１０）。利用者２４はＩＤ番号が正常にメモリに記憶されたことを携帯電話２５の画面のメッセージで確認した後、会員登録用プログラムを終了する（ステップ１１）。以上により会員登録の手続を終了する。
【００２３】
次に利用者２４が書店２６で書籍を購入する方法について図４に従って説明する。図４は書籍の購入時の処理を示すフローチャートである。なお図５に示すように、書籍３４には予めＲＦＩＤタグ３５が取付けられており、ＲＦＩＤタグ３５内のメモリには、書籍に関する情報が記録されている。尚図５は書籍に取付けられたＲＦＩＤタグを示す説明図である。記録される情報は、図６に示すように、書籍を識別するためのＩＳＢＮ（International Standard Book Number）コード３８ａ、販売対象や発行形態、書籍の内容を示した分類コード３８ｂ、同じ内容の本を識別するための通番３８ｃ、書籍の定価を示す定価コード３８ｄから構成される。尚図６はＲＦＩＤタグの記録情報を示す説明図である。
【００２４】
利用者２４が購入したい書籍３４をレジまで持参すると（ステップ２１）、書店２６のレジ係員は、書籍３４に内蔵されたＲＦＩＤタグ３５を、ＰＯＳ端末２７に接続されたＲＦＩＤタグリーダライタ３３で読取らせる（ステップ２２）。ＲＦＩＤタグリーダライタ３３で読取ったデータはＰＯＳ端末２７からネットワーク３６を介してサービス提供者２２のコンピュータ２８へ送信される（ステップ２３）。
【００２５】
コンピュータ２８は、送信されてきた書籍３４のデータを書籍情報データベース３０に格納されている書籍情報と照合する（ステップ２４）。書籍情報データベース３０には書店２６で扱っているすべての書籍のＩＳＢＮコード、分類コード、通番および定価コードが登録されており、ここでは利用者２４が購入しようとする書籍３４が登録されているものであるか否かをチェックする。コンピュータ２８は照合の結果をＰＯＳ端末２７に送信する（ステップ２４）。
【００２６】
レジ係員は、送信されてきた照合結果をＰＯＳ端末２７の表示画面から判定し（ステップ２５）、購入しようとする書籍３４が登録されたものであれば（ＯＫ）、利用者２４に対して携帯電話２５の提示を求める（ステップ２６）。利用者２４が携帯電話２５をＰＯＳ端末２７に接続された非接触ＩＣカードリーダライタ３３に近づけると、非接触ＩＣカードリーダライタ３２は携帯電話２５に内蔵された非接触ＩＣカード３１のメモリに記録された会員のＩＤ番号を読み取る（ステップ２７）。読取られたＩＤ番号は、ＰＯＳ端末２７からネットワーク３６を介してサービス提供者２２のコンピュータ２８へ送信される（ステップ２８）。
【００２７】
コンピュータ２８は送信されてきたＩＤ番号を会員情報データベース２９に格納されているＩＤ番号と照合する。ここで送信されてきたＩＤ番号が登録されているものか否かがチェックされる。コンピュータ２８は照合の結果をＰＯＳ端末２７に送信する（ステップ２９）。レジ係員は、送信されてきた照合結果をＰＯＳ端末２７の表示画面から判定し（ステップ３０）、利用者２４のＩＤ番号が登録されたものであれば（ＯＫ）、利用者２４の携帯電話２５にチャージされている金額から書籍３４の購入代金を差し引く決済処理を行う（ステップ３１）。このとき決済処理に当り、会員であることを確認するために暗証番号の入力や身分証明書の提示を求めてもよい。
【００２８】
なお上記の例では、携帯電話２５の非接触ＩＣカード３１に決済機能を持たせ、書籍購入代金の決済を携帯電話２５で行うものとしているが、勿論現金決済でも構わない。
【００２９】
決済処理が完了すると、完了情報がサービス提供者２２のコンピュータ２８へ送信され、書籍情報データベース３０内の取引履歴情報が更新される。また購入した書籍３４のＲＦＩＤタグ３５および携帯電話２５の非接触ＩＣカード３１の取引履歴情報も更新される（ステップ３２）。
【００３０】
書籍情報データベース３０およびＲＦＩＤタグ３５の取引履歴情報は、図７に示すように、上述した書籍のＩＳＢＮコード、分類コード、通番および定価コードのほかに、日付３９ａ、利用者２４のＩＤ番号３９ｂ、取引内容（販売または買取り）３９ｃ、取引書店２６の店舗コード３９ｄで構成される。これらの情報により誰が書籍３４を購入したかがわかるようになっている。利用者２４の携帯電話２５の非接触ＩＣカード３１に格納される取引履歴情報は、図８に示すように、日付４０ａ、書籍３４のＩＳＢＮコード４０ｂ、取引内容（購入または売却）４０ｃおよび書店２６の店舗コード４０ｄから成っている。
【００３１】
以上の説明では一般の書店２６で新規に書籍３４を購入する例を示したが、例えば新古書店で中古の書籍を購入する場合にも同様の処理を行う。
【００３２】
次に利用者２４が新古書店で書籍を売却（新古書店からすると買取り）する方法について図９にしたがって説明する。図９は書籍の売却時の処理を示すフローチャートである。まず利用者２４は、売却したい書籍３４を新古書店の買取り用レジに持参する（ステップ４１）。なお新古書店にも図１に示すＰＯＳ端末２７およびそれに接続する非接触ＩＣカードリーダライタ３２およびＲＦＩＤタグリーダライタ３３が設けられており、ＰＯＳ端末２７がコンピュータ２８に接続されているものとする。
【００３３】
レジ係員が書籍３４をＲＦＩＤタグリーダライタ３３に近づけると、ＲＦＩＤタグリーダライタ３３により書籍３４のＲＦＩＤタグ３５に記憶されている情報が読取られ（ステップ４２）、読取られたデータはＰＯＳ端末２７からネットワーク３６を介してリサイクルサービス提供者２２のコンピュータ２８へ送信される（ステップ４３）。
【００３４】
リサイクルサービス提供者２２のコンピュータ２８は、送信されてきた書籍３４のデータを書籍情報データベース３０の蓄積情報と照合し、照合結果を新古書店のＰＯＳ端末２７に送信する（ステップ４４）。ここでは送信されてきた書籍３４のデータと一致するデータが書籍情報データベース３０にあるか否かがチェックされる。
【００３５】
レジ係員は、送信されてきた照合結果をＰＯＳ端末２７の画面から判定し（ステップ４５）、データが一致した場合（ＯＫ）には、利用者２４に対して携帯電話２５の提示を求める（ステップ４６）。データが一致しない場合（ＮＧ）には、買取できないものとして処理を終了する。
【００３６】
利用者２４が携帯電話２５を提示すると、レジ係員は携帯電話２５を非接触ＩＣカードリーダライタ３２に近づけ、非接触ＩＣカードリーダライタ３２は携帯電話２５内の非接触ＩＣカード３１内に記録された会員のＩＤ番号を読取り（ステップ４７）、読取ったＩＤ番号をＰＯＳ端末２７からネットワーク３６を介してリサイクルサービス提供者２２のコンピュータ２８へ送信する（ステップ４８）。
【００３７】
リサイクルサービス提供者２２のコンピュータ２８は、送信されてきたＩＤ番号を会員情報データベース２９に格納してある情報と照合する（ステップ４９）。ここでは書籍３４を売却しようとする利用者２４が登録してある利用者か否かをチェックする（ステップ５０）。登録してある利用者である場合（ＯＫ）は、次に書籍情報データベース３０の取引履歴情報を照合し、買取可否の判定をする（ステップ５１）。
【００３８】
買取可否の判定方法は、書籍３４のＲＦＩＤタグ３５に記録された取引履歴情報と、携帯電話２５の非接触ＩＣカード３１に記録された取引履歴情報と、書籍情報データベース３０に記録された取引履歴情報とにおいて、それぞれの最新の取引情報の内容（日時、取引内容及び利用者２４のＩＤ番号）が一致しているか否かで判定する。ここでもし書籍３４を購入した利用者と、今その書籍３４を売却しようとしている利用者が異なっていると、携帯電話２５の非接触ＩＣカード３１に記録されたＩＤ番号と、書籍３４のＲＦＩＤタグ３５および書籍情報データベース３０に記録されたＩＤ番号が異なることになり、この場合は取引内容が一致していないと判定される。
【００３９】
取引内容が一致していないと判定した場合は（ステップ５２のＮＧ）、コンピュータ２８は「買取り不可」の判定結果をＰＯＳ端末２７に通知して処理を終了する。取引内容が一致していると判定した場合は（ステップ５２のＯＫ）、コンピュータ２８は「買取り可」の判定結果をＰＯＳ端末２７に通知する。「買取り可」の判定結果の通知を受けたＰＯＳ端末２７は、その通知を画面でレジ係員に表示する。レジ係員は利用者２４に予め決められている買取り価格を提示し、その金額を利用者２４の携帯電話２５の非接触ＩＣカード３１にチャージする決済処理を行う（ステップ５３）。なおこの場合も、現金で利用者２４に支払うようにしてもよい。
【００４０】
決済処理が完了すると、完了情報がＰＯＳ端末２７からネットワーク３６を介してコンピュータ２８へ送信され、コンピュータ２８は書籍情報データベース３０の取引履歴情報を更新する。また書籍３４内のＲＦＩＤタグ３５の取引履歴情報および携帯電話２５の非接触ＩＣカード３１の取引履歴情報も更新される（ステップ５４）。書籍情報データベース３０とＲＦＩＤタグ３５の取引履歴情報は、図１０に示すように更新され、非接触ＩＣカード３１の取引履歴情報は図１１に示すように更新される。
【００４１】
即ち、図１０において、書籍情報データベース３０およびＲＦＩＤタグ３５の取引履歴情報は、日付３９ａ、利用者２４のＩＤ番号３９ｂ、取引内容（販売または買取り）３９ｃ、取引書店の店舗コード３９ｄが更新される。この場合、それ以前の取引情報も記録として残しておく。また利用者２４の携帯電話２５の非接触ＩＣカード３１に格納される取引履歴情報は、図１１に示すように、日付４０ａ、書籍３４のＩＳＢＮコード４０ｂ、取引内容（購入または売却）４０ｃおよび取引書店の店舗コード４０ｄが更新される。この場合もそれ以前の取引情報を残しておくが、或る程度取引情報が溜まった場合は、古い取引情報は削除するようにしてもよい。
【００４２】
以上のように、上記実施の形態によれば、会員登録に伴って発行した利用者のＩＤ番号を携帯電話２５に内蔵した非接触ＩＣカード３１に記憶させ、書籍に取り付けたＲＦＩＤタグ３５と情報記録装置としての書籍情報データベース３０に購入者情報を含む取引履歴情報を格納し、利用者２４が書籍３４を売却する際に、非接触ＩＣカード３１内のＩＤ番号とＲＦＩＤタグ３５または書籍情報データベース３０内の購入者情報とを照合することにより、正規に購入された書籍でもその後不正な手段で第三者に渡った書籍を買取ることを防止することができる。
【００４３】
上記実施の形態では、利用者の所有する携帯電話２５に非接触ＩＣカード３１を内蔵させ、この非接触ＩＣカード３１にＩＤ番号や取引履歴情報を格納するようにしているが、携帯電話２５を使用せずに、非接触ＩＣカード３１だけで使用するようにしてもよい。この場合、会員登録は利用者が書店等へ出向いたときに行うようにする。書店のＰＯＳ端末２７に会員登録機能を具備させておくことはいうまでもない。
【００４４】
また上記実施の形態では、利用者２４が書籍３４を売却する場合に、利用者２４の携帯電話２５の非接触ＩＣカード３１に記録された取引履歴情報を、書籍３４のＲＦＩＤタグ３５に記録された取引履歴情報と書籍情報データベース３０に記録された取引履歴情報の両方と照合させているが、非接触ＩＣカード３１の取引履歴情報を、書籍３４のＲＦＩＤタグ３５または書籍情報データベース３０のいずれかに記録されている取引履歴情報と照合させて判定するようにしてもよい。非接触ＩＣカード３１の取引履歴情報を、書籍３４のＲＦＩＤタグ３５に記録されている取引履歴情報と照合させる場合には、ＰＯＳ端末２７で照合を行うようにする。
【００４５】
次に本発明の他の実施の形態について説明する。この実施の形態は中古品の販売価格の決定方法および買取り時の査定方法に関するものである。上述の実施の形態で説明したように、本発明では、リサイクルサービス提供者のデータベース、商品（書籍）のＲＦＩＤタグおよび利用者の非接触ＩＣカードに取引履歴情報を格納しておく。これらの取引履歴情報を有効に利用して、利用者に対して木目の細かいサービスを提供することが可能である。
【００４６】
第１の実施例として、中古品の買取り価格の決定方法について説明する。まず書籍Ａの新規販売価格をＶ円、中古販売価格をＷ円、買取り基準価格をＺ円とし、互いの金額の大小関係を、Ｖ円＞Ｗ円＞Ｚ円、とする。通常では書籍Ａを買取る場合の買取り価格はＺ円であるが、リサイクルサービス提供者のデータベース、商品（書籍）のＲＦＩＤタグまたは利用者の非接触ＩＣカードに格納された取引履歴情報から、書籍Ａが新刊本として購入され、今回始めて売却されるものであると判定された場合には、例えば基準の買取り価格Ｚ円よりは高いＹ円で（Ｙ円＞Ｚ円）買取るようにすることができる。これにより、新刊本として購入した書籍を売却する場合には、中古品を売却する場合よりも高い価格で売却可能となる。
【００４７】
第２の実施例として、中古の書籍Ａを購入する場合、通常は書籍Ａの購入価格はＷ円であるが、リサイクルサービス提供者のデータベース、商品（書籍）のＲＦＩＤタグまたは利用者の非接触ＩＣカードに格納された取引履歴情報のＩＤ番号から、以前購入した者が再度購入すると判定された場合には、書籍Ａの販売価格をＷ円よりも安いＸ円（Ｗ円＞Ｘ円＞Ｙ円）とすることができる。これにより、以前購入した人が読み直すために再度購入する場合には、安い価格で購入できるようになる。
【００４８】
取引履歴情報の内容を解析する役割は、リサイクルサービス提供者２２のコンピュータ２８または書店のＰＯＳ端末２７が担う。また新たな価格（上記のＹ円およびＸ円）の決定はＰＯＳ端末２７で行うようにする。取引履歴情報の内容を解析し、書籍の取引状況に応じてより細かい価格設定が可能になり、利用者に対するサービスの向上に寄与することができる。
【００４９】
上記各実施の形態では、リサイクル商品として書籍を例に説明したが、読書き可能なＲＦＩＤタグを取付けられる商品であれば、洋服などの商品にも適用可能である。
【００５０】
さらには図書貸し出しシステムにも適用可能である。図書貸し出しシステムの場合には、貸し出し時に書籍に取付けられたＲＦＩＤタグと貸し出しを受けた人の携帯電話の非接触ＩＣカードに貸し出し情報を書込み、書籍の返却時にＲＦＩＤタグおよび非接触ＩＣカードの両方に記録された貸し出し情報を読取ることにより、短時間で貸し出し、返却の業務を行うことができる。
【図面の簡単な説明】
【００５１】
【図１】実施の形態の商品リサイクルシステムを示す構成図である。
【図２】会員登録の方法を示すフローチャートである。
【図３】登録情報入力画面を示す説明図である。
【図４】書籍の購入時の処理を示すフローチャートである。
【図５】書籍に取付けられたＲＦＩＤタグを示す説明図である。
【図６】ＲＦＩＤタグの記録情報を示す説明図である。
【図７】書籍情報データベース及びＲＦＩＤタグの取引履歴情報を示す説明図である。
【図８】非接触ＩＣカードの取引履歴情報を示す説明図である。
【図９】書籍の売却時の処理を示すフローチャートである。
【図１０】書籍情報データベース及びＲＦＩＤタグの取引履歴情報を示す説明図である。
【図１１】非接触ＩＣカードの取引履歴情報を示す説明図である。
【図１２】ＲＦＩＤタグを示す構成図である。
【図１３】リーダライタを示す構成図である。
【図１４】ＩＣチップの内部を示す構成図である。
【符号の説明】
【００５２】
２１  商品リサイクルシステム
２２  リサイクルサービス提供者
２４  利用者
２５  携帯電話
２６  書店
２７  ＰＯＳ端末
２８  コンピュータ
２９  会員情報データベース
３０  書籍情報データベース
３１  非接触ＩＣカード
３２  非接触ＩＣカードリーダライタ
３３  ＲＦＩＤタグリーダライタ
３４  書籍
３５  ＲＦＩＤタグ
３６  ネットワーク
【図１】
2006195814.tif 000003
【図２】
2006195814.tif 000004
【図３】
2006195814.tif 000005
【図４】
2006195814.tif 000006
【図５】
2006195814.tif 000007
【図６】
2006195814.tif 000008
【図７】
2006195814.tif 000009
【図８】
2006195814.tif 000010
【図９】
2006195814.tif 000011
【図１０】
2006195814.tif 000012
【図１１】
2006195814.tif 000013
【図１２】
2006195814.tif 000014
【図１３】
2006195814.tif 000015
【図１４】
2006195814.tif 000016